(57)【特許請求の範囲】
【請求項１】
渦巻き型薫香を載せる香台であって、
多孔質のセラミックスで形成された板状の台本体の上面に、錘状の山部が複数形成されると共に、台本体に、各山部と各山部間の谷部とに位置させて、上下に貫通する通気孔が形成され、
前記台本体の上面に、各山部間の谷部に位置させて、各山部の頂部の高さより低い小突起が形成され、
該小突起に、上下に貫通する通気孔が形成されることを特徴とする渦巻き型薫香用香台。
【請求項２】
前記小突起は前記通気孔により円筒状に形成されていることを特徴とする請求項１記載の渦巻き型薫香用香台。
【発明の詳細な説明】
【技術分野】
【０００１】
本発明は、渦巻き型の薫香を燻焼する際に薫香を載せるために使用する渦巻き型薫香用香台に関する。
【背景技術】
【０００２】
渦巻き型薫香は、それより大径の香炉、皿内に置いた香台上に載せて燻焼される。従来、この種の香台は一般的に陶磁器製であり、渦巻き型薫香と香台との接触面積を減少するために、香台の上面に多数の突起が形成されている。然し、陶磁器製の香台は熱伝導率が比較的大きいために、突起を形成しても薫香の燃焼熱が香台に奪われ、更には、薫香の燻焼で発生するヤニが突起間の隙間に堆積し、ある程度使用すると、堆積したヤニが薫香に接触するようになる。その結果、薫香が途中で立ち消えし易くなり、燃え残りが発生して薫香が無駄になると共に、香りを楽しむ時間が短くなってしまう。
【０００３】
尚、従来、蚊取り線香用の容器内にグラスウール等の不燃性繊維で形成されるシート材を装着し、蚊取り線香をシート材上に載せて燻焼させるものが知られている(例えば、特許文献１参照)。このシート材は断熱性が高いため、燃焼熱が奪われにくく、また、シート材は通気性を持つため、蚊取り線香の燃焼部にシート材を介して空気が供給され、蚊取り線香の立ち消え防止に役立つ。
【０００４】
従って、渦巻き型薫香用の香台をこのような不燃性繊維のシート材で形成することも考えられるが、これでは以下の不具合を生ずる。即ち、シート材に薫香の燻焼で発生するヤニが浸透して、シート材の目詰まりでシート材側から供給される空気量が減少すると共に、シート材に付着したヤニに薫香が接触して、立ち消えの原因になる。そして、シート材に浸透したヤニは除去できず、短期間で使用不能になる。
【特許文献１】特開平９−１８７２０５号公報
【発明の開示】
【発明が解決しようとする課題】
【０００５】
本発明は、以上の点に鑑み、立ち消えを防止できると共に、長期間使用可能な渦巻き型薫香用香台を提供することをその課題としている。
【課題を解決するための手段】
【０００６】
上記課題を解決するために、本発明は、  渦巻き型薫香を載せる香台であって、多孔質のセラミックスで形成された板状の台本体の上面に、錘状の山部が複数形成されると共に、台本体に、各山部と各山部間の谷部とに位置させて、上下に貫通する通気孔が形成され、前記台本体の上面に、各山部間の谷部に位置させて、各山部の頂部の高さより低い小突起が形成され、該小突起の位置に、上下に貫通する通気孔が形成されることを特徴とする。
更に、本発明においては、前記小突起は前記通気孔により円筒状に形成されていることが好ましい。
【０００７】
本発明の香台は多孔質セラミックス製で断熱性が高く、しかも渦巻き型薫香は錘状の山部に点接触で支持されて、薫香と香台との接触面積が減少し、薫香の燃焼熱が香台に奪われにくくなる。また、薫香の燃焼部に香台に形成した通気孔を介して空気が供給され、燃焼熱が奪われにくくなることと相俟って、薫香の立ち消えが有効に防止される。更に、台本体が多孔質であることから、薫香の燻焼で発生するヤニが台本体に吸込まれ易くなり、ヤニの堆積やヤニによる通気孔の目詰まりが抑制される。従って、堆積したヤニに薫香が接触したり、通気孔の目詰まりで空気量が減少したりすることによる立ち消えも効果的に防止される。
【０００８】
また、香台は多孔質セラミックス製であるため、火で炙っても損傷しない。従って、香台にヤニが付着しても、香台を火で炙ってヤニを焼失させることができる。このように香台をヤニが付着していない状態に簡単に再生できるため、香台を長期間使用することが可能になる。尚、磁器製の香台は緻密で耐熱衝撃性に乏しく、火で炙ると割れ、また、耐火繊維シート材から成る香台は火で炙ると繊維がほぐれて形が崩れるため、このような香台を火で炙ってヤニを焼失させることはできない。
【０００９】
ところで、薫香を香台上に水平姿勢で支持するためには、少なくとも３個の山部で薫香を３点支持する必要があるが、燻焼が進行して薫香の残りが僅かになると、３点支持できなくなって薫香が谷部に落ち込むようにして傾き、薫香と香台との接触面積が増加して、立ち消えすることがある。この場合、台本体の上面に、各山部間の谷部に位置させて、各山部の頂部の高さより低い小突起が形成されていれば、山部による３点支持を失って薫香が傾いたときに、小突起で薫香を支えて、薫香が大きく傾くことを防止できる。その結果、山部による３点支持を失っても薫香と香台との接触面積は然程増加せず、立ち消えが効果的に防止される。
【発明を実施するための最良の形態】
【００１０】
図１を参照して、Ｗは渦巻き型の薫香であり、図示省略した香炉または皿内に置く香台１上に薫香Ｗを載せて燻焼させる。
【００１１】
香台１の台本体２は、多孔質のセラミックスで板状に形成されている。セラミックスとしては、低熱膨張率で耐熱衝撃性に優れたコージライトが望ましい。尚、本実施形態では、台本体２を１辺３２ｍｍの正方形で厚さが６ｍｍの板状に形成している。
【００１２】
以下、図１乃至図４を参照して、台本体２の構造について説明する。台本体２の上面には、台本体２にほぼ内接する円形領域に位置させて、台本体２の下面からの高さが８ｍｍとなる四角錘状の山部３が複数形成されている。これら山部３は山部間に格子状の谷部４が残るように配列されており、谷部４の台本体２の下面からの高さは６ｍｍになっている。
【００１３】
また、台本体２には、各山部３と谷部４とに位置させて、上下に貫通する通気孔５が所定ピッチで多数形成されている。通気孔５は、台本体２の下方から台本体２上に空気を供給するための孔である。ここで、山部３に位置する通気孔５が山部３の頂部に開口していると、薫香Ｗの燻焼で発生するヤニにより通気孔５が目詰まりし易くなる。そこで、本実施形態では、山部３に位置する通気孔５を、山部３の頂部から離れた部分に開口するように形成している。
【００１４】
ところで、香台１を置く香炉や皿の部分が平坦面で、これに台本体２の下面が全面に亘って面接触すると、通気孔５を介して空気を供給できなくなる。そこで、台本体２の底面に比較的幅広の凹溝６を形成し、凹溝６を介して通気孔５に空気が流入可能となるようにしている。尚、香台１を置く香炉や皿の部分が凹面であって、台本体２の下面との間に隙間が確保されるのであれば、凹溝６を形成しなくても良い。
【００１５】
また、台本体２の上面には、谷部４に位置させて、より詳細には、格子状の複数の谷部４の交差部に位置させて、各山部３の頂部の高さより低い小突起７が形成されている。尚、通気孔５は小突起７の形成箇所にも設けられており、そのため、小突起７は円筒状に形成される。
【００１６】
台本体２の上面には、更に、山部３の形成領域の外側に位置させて、袋孔状の複数の飾り孔８が形成されている。これにより、香台１の体裁を良くしている。
【００１７】
上記実施形態の香台１によれば、台本体２の断熱性が高く、しかも渦巻き型薫香Ｗは山部３の頂部に点接触で支持されて、薫香Ｗと香台１との接触面積が減少するため、薫香Ｗの燃焼熱が香台１に奪われにくくなる。また、薫香Ｗの燃焼部に対する上方からの空気の供給は、燃焼部から立ち昇る上昇気流の影響で妨げられるが、燃焼部には台本体２に形成した通気孔５を介して下方から円滑に空気が供給される。従って、燃焼熱が奪われにくくなることと、燃焼部に下方から空気が供給されることとの相乗効果により、薫香Ｗの燻焼途中での立ち消えが有効に防止される。
【００１８】
また、台本体２が多孔質であるため、薫香Ｗの燻焼で発生するヤニが台本体２に吸込まれ易くなり、ヤニの堆積やヤニによる通気孔５の目詰まりが抑制される。従って、堆積したヤニに薫香Ｗが接触したり、通気孔５の目詰まりで空気量が減少したりすることによる立ち消えも効果的に防止される。
【００１９】
また、燻焼が進行して薫香Ｗの残りが僅かになると、薫香Ｗを３個の山部３で３点支持できなくなって薫香Ｗが谷部４に落ち込むようにして傾くことがあるが、この際、小突起７で薫香Ｗが支えられるため、薫香Ｗが大きく傾くことはない。その結果、山部３による３点支持を失っても薫香Ｗと香台１との接触面積は然程増加せず、立ち消えが効果的に防止される。尚、小突起７は山部３より低いため、３点支持を失って薫香Ｗが傾くまでは薫香Ｗは小突起７に接触せず、薫香Ｗと香台１との接触面積が小突起７によって増加することはない。
【００２０】
ところで、薫香Ｗの燻焼で生ずるヤニは上記の如く台本体２に吸込まれて表面に堆積しにくくなるものの、ある程度使用すると、ヤニが堆積して汚れとして目立つようになり体裁を損なう。更に、ヤニの堆積が進行すると、ヤニにより通気孔５が塞がれたり、香台１に付着したヤニに薫香Ｗが接触して、立ち消えの原因になる。ここで、セラミックスを多孔質にすると、火で炙っても割れにくくなる。特に、香台１の台本体２を耐熱衝撃性に優れたコージライト製で且つ多孔質にすると、火で炙ったときの割れが確実に防止される。従って、香台１にヤニが付着堆積しても、香台１を火で炙ってヤニを焼失させることができる。このように香台１をヤニが付着していない状態に簡単に再生できるため、香台１を長期間使用することが可能になる。
【００２１】
尚、台本体２の上面に、白金、パラジウム等の貴金属や二酸化マンガン等の燃焼用触媒をコーティングし、或いは、台本体２のセラミックス材料に燃焼用触媒を練り込んでおけば、薫香Ｗの立ち消えを一層確実に防止できる。
【００２２】
以上、本発明の実施形態について図面を参照して説明したが、本発明はこれに限定されない。例えば、上記実施形態では、台本体２を正方形の板状に形成したが、正方形以外の角形或いは円形の板状に形成しても良い。また、上記実施形態では、山部３を四角錐状に形成したが、三角や五角といった四角以外の角錘状または円錐状に形成しても良い。
【図面の簡単な説明】
【００２３】
【図１】本発明の実施形態の香台の斜視図。
【図２】実施形態の香台の平面図。
【図３】図２のＩＩＩ−ＩＩＩ線で切断した断面図。
【図４】図２のＩＶ−ＩＶ線で切断した断面図。
【符号の説明】
【００２４】
Ｗ…渦巻き型薫香、１…香台、２…台本体、３…山部、４…谷部、５…通気孔、７…小突起。
【図１】
0004637695.tif 000002
【図２】
0004637695.tif 000003
【図３】
0004637695.tif 000004
【図４】
0004637695.tif 000005